(57)【要約】      （修正有）【課題】キャビネット本体に照明器具を取り付けるための構造において、メンテナンス性及び組立性が高く、美観も向上させることができる構成を提供する。【解決手段】ミラーキャビネットは、キャビネット本体と、中空部を有し、キャビネット本体の内部空間を区画する仕切り板と、仕切り板によって区画された空間を開閉するミラー扉と、仕切り板の正面側に配置される照明ユニット（照明器具）と、を備える。照明ユニットは、ＬＥＤ素子が配置されるＬＥＤ基板６１（照明基板）を有し、ＬＥＤ基板６１が仕切り板に直接固定される。そして、照明ユニットに電力を供給する電源ユニット８０は、仕切り板の中空部に配置される。【選択図】図４
2017080287.tif 000002
【特許請求の範囲】
【請求項１】
キャビネット本体と、
中空部を有し、前記キャビネット本体の内部空間を区画する仕切り板と、
前記仕切り板によって区画された空間を開閉するミラー扉と、
前記仕切り板の正面側に配置される照明器具と、
を備え、
前記照明器具は、光源が配置される照明基板を有し、該照明基板が前記仕切り板に直接固定されるミラーキャビネット。
【請求項２】
前記照明基板に電力を供給する電源ユニットは、前記仕切り板の中空部に配置される請求項１に記載のミラーキャビネット。
【請求項３】
前記仕切り板の中空部内には、前記電源ユニットに接続される配線を固定するための固定部材が設けられる請求項２に記載のミラーキャビネット。
【請求項４】
前記キャビネット本体を構成し、空間と空間を区画する構成材のうち少なくとも一部が中空部を有し、
前記照明基板に電力を供給する電源ユニットは、前記構成材の中空部に配置される請求項１に記載のミラーキャビネット。
【請求項５】
前記キャビネット本体は、前記仕切り板の背面側に配置される背板を備え、
前記仕切り板は、前記背板の背面側から差し込まれる締結部材によって前記背板に固定される請求項１から４の何れかに記載のミラーキャビネット。
【発明の詳細な説明】
【技術分野】
【０００１】
本発明は、照明器具を備えるミラーキャビネットに関する。
【背景技術】
【０００２】
従来から、照明器具を備えるミラーキャビネットが知られている。この種のミラーキャビネットを開示するものとして特許文献１や特許文献２がある。特許文献１には、ミラーキャビネットにおいて、収納部の開口を開閉するミラー扉と、隣り合う前記収納部を仕切る仕切り板と、隣り合う前記ミラー扉の間であって前記仕切り板の前面に設けた照明器具と、を備える構成が開示されている。特許文献２には、キャビネット本体と照明装置を備えるキャビネットにおいて、照明装置が、点光源と、この点光源が設けられた回路基板と、キャビネット本体に設けられた長尺な導光部材と、を有する構成が開示されている。
【先行技術文献】
【特許文献】
【０００３】
【特許文献１】特開２０１５−１０４５５１号公報
【特許文献２】特開２０１４−１７１８０５号公報
【発明の概要】
【発明が解決しようとする課題】
【０００４】
特許文献１に開示されるミラーキャビネットは、ベース部と仕切り板がそれぞれ独立した部材であり、ベース部を仕切り板に固定する作業が必要となる上、ベース部と仕切り板の間に継ぎ目が生じてしまい、手入れ等の作業性を損なっていた。また、ベース部を仕切り板に固定するビスがミラー扉を開いたときにユーザから見える状態となってしまっており、意匠性の向上という点からも改善の余地があった。特許文献２に開示されるミラーキャビネットにおいても、ベース部を介して照明器具が仕切り板に固定されており、特許文献１に開示されるミラーキャビネットと同様の課題があった。
【０００５】
本発明は、キャビネット本体に照明器具を取り付けるための構造において、メンテナンス性及び組立性が高く、美観も向上させることができる構成を提供することを目的とする。
【課題を解決するための手段】
【０００６】
本発明は、キャビネット本体（例えば、後述のキャビネット本体１０）と、中空部を有し、前記キャビネット本体の内部空間を区画する仕切り板（例えば、後述の仕切り板５０）と、前記仕切り板によって区画された空間を開閉するミラー扉（例えば、後述のミラー扉７）と、前記仕切り板の正面側に配置される照明器具（例えば、後述の照明ユニット６０）と、を備え、前記照明器具は、光源（例えば、後述のＬＥＤ素子６２）が配置される照明基板（例えば、後述のＬＥＤ基板６１）を有し、該照明基板が前記仕切り板に直接固定されるミラーキャビネット（例えば、後述のミラーキャビネット６）に関する。
【０００７】
前記照明基板に電力を供給する電源ユニット（例えば、後述の電源ユニット８０）は、前記仕切り板の中空部に配置されることが好ましい。
【０００８】
前記仕切り板の中空部内には、前記電源ユニットに接続される配線（例えば、後述のＬＥＤケーブル６５及び受光部ケーブル６６）を固定するための固定部材（例えば、後述の補強リブ４０に固定される結束バンド９５及び仕切り板５０の内側に固定される結束バンド９５）が設けられることが好ましい。
【０００９】
前記キャビネット本体を構成し、空間と空間を区画する構成材（例えば、後述の中央底板２１５Ｃ）のうち少なくとも一部が中空部を有し、前記照明基板に電力を供給する電源ユニット（例えば、後述の電源ユニット８０）は、前記構成材の中空部に配置されることが好ましい。
【００１０】
前記キャビネット本体は、前記仕切り板の背面側に配置される背板（例えば、後述の背板１１）を備え、前記仕切り板は、前記背板の背面側から差し込まれる締結部材（例えば、後述のビス３０）によって前記背板に固定されることが好ましい。
【発明の効果】
【００１１】
本発明によれば、キャビネット本体に照明器具を取り付けるための構造において、メンテナンス性及び組立性が高く、美観も向上させることができる構成を提供できる。
【図面の簡単な説明】
【００１２】
【図１】本発明の一実施形態に係るミラーキャビネットが適用される洗面化粧台を示す斜視図である。
【図２】本実施形態のミラーキャビネットを示す平面図である。
【図３】本実施形態のキャビネット本体の内部を示す斜視図である。
【図４】本実施形態の天板を取り除いた状態の仕切り板に固定される照明ユニットを示す断面図である。
【図５】本実施形態の仕切り板及び照明ユニットの分解斜視図である。
【図６】本実施形態の電源ユニットの斜視図である。
【図７】本実施形態のキャビネット本体の背面図である。
【図８】本実施形態の仕切り板に内蔵される電源ユニットの配線を示す斜視図である。
【図９】本実施形態の仕切り板の内部の照明ユニットへの配線を示す斜視図である。
【図１０】変形例のキャビネット本体の内部を示す図である。
【発明を実施するための形態】
【００１３】
以下、本発明の好ましい実施形態について、図面を参照しながら説明する。図１は、本発明の一実施形態に係るミラーキャビネット６が適用される洗面化粧台１を示す斜視図である。なお、以下の説明において、単に左右方向といったときは、ミラーキャビネット６を正面から見たときの左右方向を示すものとする。
【００１４】
図１に示すように、本実施形態の洗面化粧台１は、洗面所等に設置されるものであり、床面に載置される洗面台２と、洗面台２の上方に配置されるミラーキャビネット６と、を主要な構成として備える。洗面台２の上部には洗面ボウル３が配置され、該洗面ボウル３には水栓４及びハンドル５が配置される。
【００１５】
ミラーキャビネット６は、キャビネット本体１０と、キャビネット本体１０の正面に取り付けられる複数のミラー扉７と、ミラー扉７の間に配置される複数の照明ユニット６０と、照明ユニット６０の点灯等を操作するリモコン１２０と、を備える。
【００１６】
本実施形態では、複数のミラー扉７は、中央に配置されるミラー扉７Ｃと、左右に配置されるミラー扉７Ｌ，７Ｒと、から構成される。そして、ミラー扉７Ｃは、その左右方向の長さがミラー扉７Ｌ，７Ｒよりも長く構成されている。また、複数の照明ユニット６０は、ミラー扉７Ｌとミラー扉７Ｃの間に配置され、左側に位置する照明ユニット６０Ｌと、ミラー扉７Ｃとミラー扉７Ｒの間に配置され、右側に位置する照明ユニット６０Ｒと、から構成される。
【００１７】
キャビネット本体１０の構造について説明する。図２は、本実施形態のミラーキャビネット６を示す平面図である。図３は、本実施形態のキャビネット本体１０の内部を示す斜視図である。なお、図３では、キャビネット本体１０の内部構造を示すため、ミラー扉７Ｃ，７Ｌ，７Ｒ及びミラー扉７Ｃ，７Ｌ，７Ｒを支持開閉するための蝶番の図示を省略している。
【００１８】
図２及び図３に示すように、キャビネット本体１０は、背板１１と、側板１２と、天板１４と、底板１５（左側底板１５Ｌ、中央底板１５Ｃ及び右側底板１５Ｒ）と、仕切り板５０と、をキャビネット本体１０の外形を形成する構成材として備える。
【００１９】
背板１１は、キャビネット本体１０の背面を形成する板材である。背板１１の背面側が建築物の壁に対面し、正面側がミラーキャビネット６の収納空間の一部を形成する。側板１２は、キャビネット本体１０の左右両側にそれぞれ設けられ、キャビネット本体１０の側面を形成する。天板１４は、左右方向に延びる１枚の板材であり、キャビネット本体１０の上面を形成する。
【００２０】
左側底板１５Ｌと、中央底板１５Ｃと、右側底板１５Ｒと、の複数の板材によってキャビネット本体１０の下面が形成される。左側底板１５Ｌ及び右側底板１５Ｒは、中央底板１５Ｃよりも高い位置に配置される。本実施形態の右側底板１５Ｒの下方には、内蔵コンセント２０が配置される。内蔵コンセント２０は、プラグ付きコード（図示省略）を介して外部電源に接続されている。内蔵コンセント２０の正面側にはコンセント差込口が２箇所設けられる。
【００２１】
本実施形態では、キャビネット本体１０の構成材のうち、外形を形成する背板１１、側板１２、天板１４及び底板１５が木製の材料で構成される。
【００２２】
仕切り板５０は、キャビネット本体１０の内部空間を複数に区画する板材である。本実施形態では、左側に配置される仕切り板５０Ｌと、右側に配置される仕切り板５０Ｒと、によってキャビネット本体１０の内部空間が、左側収納部８Ｌ、中央収納部８Ｃ、右側収納部８Ｒの３つの空間に区画されている。なお、本実施形態のミラーキャビネット６は、左側収納部８Ｌ、中央収納部８Ｃ、右側収納部８Ｒを上下に更に区画する横仕切り板（図示省略）を所定の位置にセットすることができる。
【００２３】
次に、仕切り板５０の詳細な構成及び該仕切り板５０に固定される照明ユニット６０について説明する。図４は、本実施形態の天板１４を取り除いた状態の仕切り板５０Ｌに固定される照明ユニット６０Ｌを示す断面図である。図５は、本実施形態の仕切り板５０Ｌ及び照明ユニット６０Ｌの分解斜視図である。図６は、本実施形態の電源ユニット８０の斜視図である。
【００２４】
図４及び図５に示すように、仕切り板５０は、中空部を有する細長の縦枠として形成される。本実施形態の仕切り板５０は、アルミニウムの押出成形によって中空部を有するように製造されている。
【００２５】
仕切り板５０は、背面側に位置する本体部５１と、正面側に位置する照明取付部５２と、から構成される。本体部５１と照明取付部５２は、一体的な部材であり、本体部５１と照明取付部５２の内側の空間は連通している。
【００２６】
本体部５１の内側には、補強リブ４０が形成される。補強リブ４０は縦方向に延びており、本体部５１の内側の空間を正面側と背面側に区画している。本実施形態の補強リブ４０の上端には切欠き９３が形成される。そして、補強リブ４０は、補強だけでなく、仕切り板５０の中空部に配線される各種の配線の固定箇所としても機能する。
【００２７】
仕切り板５０は、天板１４及び背板１１に固定される。本体部５１の内側の正面側には、天板１４から差し込まれるビス（図示省略）を固定するためのビス受け部５５が２箇所形成される。
【００２８】
本体部５１の背面側には、背板１１側から差し込まれるビス３０を固定するためのビス受け部５６が形成される。ビス受け部５６は、縦方向に延びるレール状に形成されており、上下方向に複数のビス３０を差し込むことができる。本実施形態では、上下方向に所定の間隔をあけて４本のビス３０が背板１１側から仕切り板５０の内側に挿通されている。ビス受け部５６が縦方向にわたり形成されているので、縦方向の任意の位置にビス３０を固定することができる。例えば、仕切り板５０の中空部内に配置される部材を避けるようにビス３０を配置することで、仕切り板５０の中空部内に配置される部材とビス３０の干渉を確実に避けることができる。
【００２９】
また、背板１１は、その背面側であって仕切り板５０に対応する位置に柱状部材３１を有し、ビス３０は該柱状部材３１を貫通した上で背板１１を貫通して仕切り板５０に達している。キャビネット本体１０に仕切り板５０を固定するビス３０は、ビス受け部５５又はビス受け部５６に差し込まれるので、後述の電源ユニット８０に接続される各種配線がビス３０に接触して損傷する事態が防止されている。
【００３０】
照明取付部５２は、中央収納部８Ｃ側の本体部５１から正面側に突出している。照明取付部５２は、その正面側が平面状に形成されており、照明ユニット６０の取付面５７として機能する。取付面５７の周囲には、照明カバー７０を固定するための被係合部５８が形成される。
【００３１】
照明ユニット６０は、ＬＥＤ基板６１と、照明カバー７０と、上部キャップ７６と、下部キャップ７７と、を備えるライン照明である。
【００３２】
ＬＥＤ基板６１は、細長に形成される電子部品である。ＬＥＤ基板６１の正面には、その長手方向に沿って複数のＬＥＤ素子６２が間隔をあけて並列配置される。本実施形態のＬＥＤ基板６１は、コネクタ６４によって複数の基板が上下方向に接続されて構成される。
【００３３】
ＬＥＤ基板６１には、該ＬＥＤ基板６１を照明取付部５２の正面側に固定するためのビス締結箇所６３が複数形成される。また、ビス締結箇所６３は、ＬＥＤ基板６１におけるＬＥＤ素子６２の間等、ＬＥＤ素子６２が配置されていない場所に形成されるとともに、その形成される場所がＬＥＤ基板６１の長手方向に沿って直線状に並んでいる。
【００３４】
本実施形態では、ＬＥＤ基板６１を貫通した状態でビス（図示省略）が照明取付部５２に達することにより、ベース部を介することなく、ＬＥＤ基板６１が直接的に照明取付部５２に締結される。金属で構成される仕切り板５０は、ＬＥＤ基板６１の放熱部材としても機能する。
【００３５】
照明カバー７０は、ＬＥＤ基板６１を覆う細長のカバーである。照明カバー７０は、光を拡散させる拡散材入りのポリカーボネートで構成されており、ＬＥＤ素子６２からの光を拡散させる拡散部材としても機能する。本実施形態では、照明カバー７０が照明ユニット６０の光を発光する発光部となる。
【００３６】
本実施形態の照明カバー７０は、その断面形状が略Ｕ字状に形成される。照明カバー７０は、その両側面７１が左右方向を向く平面状になっており、正面側が曲面７２となっている。照明カバー７０の両側面７１の端部には係合部７５が形成される。図４に示すように、係合部７５は、内側に一度屈曲した後、外側に屈曲するように形成される。
【００３７】
照明カバー７０は以上のように構成される。ＬＥＤ基板６１が複数のビスによって照明取付部５２に固定された状態で、照明取付部５２の被係合部５８に照明カバー７０の係合部７５が嵌合することで、照明ユニット６０が仕切り板５０に固定される。上部キャップ７６は照明カバー７０の上部をエンド部材としてカバーし、下部キャップ７７は照明カバー７０及び仕切り板５０の下端をエンド部材としてカバーする。本実施形態では、下部キャップ７７は、嵌合により照明カバー７０及び仕切り板５０に固定される。図１及び図３に示すように、照明ユニット６０は、２枚の仕切り板５０のそれぞれに固定される。
【００３８】
図２に示すように、照明ユニット６０Ｒの上部キャップ７６Ｒにはリモコン１２０からの制御信号を受信する受信装置１００が内蔵されている。一方、照明ユニット６０Ｌの上部キャップ７６Ｌには、受信装置１００は内蔵されていない。本実施形態では、上部キャップ７６Ｒは、上部キャップ７６Ｌよりも正面側に突出しており、リモコン１２０からの制御信号を受信し易くなっている。
【００３９】
図４に示すように、下部キャップ７７は、その上部が照明カバー７０の内側に入り込むように構成される。これにより、下部キャップ７７によって照明カバー７０の下端を塞ぎつつ、照明ユニット６０を正面側から見たときには当該下部キャップ７７が外側から見え難くなる構成が実現されている。
【００４０】
次に、照明ユニット６０Ｌ，６０Ｒに電力を供給する電源ユニット８０について説明する。本実施形態では、照明ユニット６０Ｌ，６０Ｒに電力を供給する電源ユニット８０が、仕切り板５０Ｌの中空部に内蔵される。
【００４１】
図５に示すように、仕切り板５０Ｌの右側面には、２つの照明ユニット６０Ｌ，Ｒに電力を供給するための電源ユニット８０を固定する取付孔５９が形成される。電源ユニット８０は、直方体状に形成されるボックスタイプである。
【００４２】
図６に示すように、電源ユニット８０は、電源カバー８１に固定されており、電源ユニット８０と電源カバー８１が一体的な部材となっている。
【００４３】
電源カバー８１は、細長の板状部材であり、取付孔５９よりも大きくなるように形成されている。電源カバー８１の上部には、ビスを固定するための締結箇所８５が形成されている。また、電源カバー８１の下部には、取付孔５９の下端に電源カバー８１を係止するための係止部８６が複数形成されている。本実施形態では、電源カバー８１下部の平面から突出した後、下方に折れ曲がる２箇所の係止部８６が形成される。
【００４４】
電源ユニット８０の仕切り板５０Ｌへの取付作業では、まず係止部８６を取付孔５９の下端に引っ掛けた状態で締結箇所８５から仕切り板５０Ｌにビスを締結することで電源ユニット８０が仕切り板５０の内側で支持された状態となる。
【００４５】
電源ユニット８０と電源カバー８１が一体的な部材となっているので、電源カバー８１を仕切り板５０Ｌの取付孔５９に固定するだけで電源ユニット８０が仕切り板５０の内側の適切な位置で収まるようになっている。本実施形態の電源ユニット８０は、仕切り板５０Ｌの内部において補強リブ４０よりも背面側の空間に位置している。
【００４６】
なお、本実施形態の仕切り板５０Ｒには、その中空部に電源ユニット８０が配置されないため、仕切り板５０Ｌに形成される取付孔５９が省略されている。仕切り板５０Ｒのそれ以外の構成については仕切り板５０Ｌと同様の構成である。
【００４７】
次に、電源ユニット８０、照明ユニット６０Ｌ，６０Ｒ間の配線について説明する。図７は、本実施形態のキャビネット本体１０の背面図である。図８は、本実施形態の仕切り板５０Ｌに内蔵される電源ユニット８０の配線を示す斜視図である。図９は、本実施形態の仕切り板５０Ｌの内部の照明ユニット６０Ｌへの配線を示す斜視図である。
【００４８】
図７に示すように、背板１１には、仕切り板５０Ｌの中空部に各種の配線を通すための第１開口部９１と、仕切り板５０Ｒの中空部に各種の配線を通すための第２開口部９２と、が形成される。第１開口部９１は、仕切り板５０Ｌの位置に対応しており、上下方向の中央よりも下側の位置で、キャビネット本体１０の背面側に設けられる第２切欠き９８に形成される。第２開口部９２は、仕切り板５０Ｒの位置に対応しており、上下方向の中央よりも上側の位置で、キャビネット本体１０の背面側に設けられる第３切欠き９９に形成される。なお、第１開口部９１及び第２開口部９２には、配線を損傷しないように、エッジをなくす処理又は部材が配置されている。
【００４９】
内蔵コンセント２０の背面側には電源コード２１が接続されている。電源コード２１は、内蔵コンセント２０の上方でクリップ９６により背板１１に固定される。電源コード２１は、キャビネット本体１０の背面側に設けられる第１切欠き９７を通って第１開口部９１まで取り回される。
【００５０】
図８に示すように、仕切り板５０Ｌの背面側には、第１開口部９１の位置に対応した仕切り板貫通孔９０が形成される。なお、仕切り板貫通孔９０にも、配線を損傷しないように、エッジをなくす処理又は部材が配置されている。
【００５１】
電源コード２１は、第１開口部９１及び仕切り板貫通孔９０を通じて仕切り板５０Ｌの中空部に差し込まれる。電源コード２１は、本体部５１の背面側の内壁に沿って下方に延びた後、電源ユニット８０の下端にコネクタ接続される。本体部５１の背面側の内壁には結束バンド９５によって電源コード２１を固定する固定箇所が形成されている。固定箇所は、孔又は凹凸状等、結束バンド９５を係止する適宜の形状によって形成される。
【００５２】
電源ユニット８０の上端には、ＬＥＤケーブル６５及び受光部ケーブル６６がコネクタ接続されている。補強リブ４０には、結束バンド９５を固定する固定箇所として貫通孔（図示省略）が形成されている。ＬＥＤケーブル６５及び受光部ケーブル６６は、この貫通孔を通した結束バンド９５によって電源ユニット８０の上方で固定されている。
【００５３】
電源ユニット８０の上端に接続されるＬＥＤケーブル６５は、照明ユニット６０Ｌ，６０Ｒに電力を供給する配線である。本実施形態のＬＥＤケーブル６５は、照明ユニット６０ＬのＬＥＤ基板６１側に接続されるＬＥＤケーブル６５Ｌと、照明ユニット６０ＲのＬＥＤ基板６１側に接続されるものをＬＥＤケーブル６５Ｒと、に分岐している。
【００５４】
ＬＥＤケーブル６５Ｌは、仕切り板５０Ｌの本体部５１の背面側の内壁に沿って上方に延びた後、コネクタ９４を介して照明ユニット６０Ｌ側のＬＥＤケーブル６５Ｌに接続される。図９に示すように、補強リブ４０の上端に形成される切欠き９３をＬＥＤケーブル６５Ｌが通過している。切欠き９３の下方には、結束バンド９５を固定するための貫通孔１０１が形成されている。貫通孔１０１に結束バンド９５を通してＬＥＤケーブル６５Ｌが補強リブ４０の上端で固定可能となっている。なお、切欠き９３には、ＬＥＤケーブル６５Ｌを損傷しないように、エッジをなくす処理又は部材が配置されている。
【００５５】
ＬＥＤケーブル６５Ｒは、仕切り板５０Ｌの内部から仕切り板貫通孔９０及び第１開口部９１を通じて外部に出た後、コネクタ９４を介して第２開口部９２まで延び出ている。仕切り板５０Ｒには、第２開口部９２の位置に対応して仕切り板貫通孔（図示省略）が形成されており、この仕切り板貫通孔を通じてＬＥＤ基板６１に接続される。
【００５６】
受光部ケーブル６６は、ＬＥＤケーブル６５Ｒと同様に、仕切り板貫通孔９０及び第１開口部９１を通じて外部に出た後、コネクタ９４を介して第２開口部９２まで延び出ている。本実施形態では、ＬＥＤケーブル６５Ｒ及び受光部ケーブル６６は、第２開口部９２の手前で結束バンド９５によってまとめられており、第３切欠き９９を通って第２開口部９２に達している。受光部ケーブル６６は、仕切り板５０Ｒの中空部に進入した後、上部キャップ７６に内蔵される受信装置１００に仕切り板５０Ｒの内側から接続される。
【００５７】
以上説明したように、照明ユニット６０Ｌ，６０Ｒ、電源ユニット８０及び受信装置１００は電気的に接続されている。本実施形態では、リモコン１２０によって照明ユニット６０Ｌ，６０Ｒのオンオフや調光が制御される。リモコン１２０は、無線送信によって制御信号を受信装置１００に送信し、受信装置１００が受信した制御信号は照明ユニット６０Ｒに送信されるとともに、受光部ケーブル６６及び電源ユニット８０を介して照明ユニット６０Ｌに送信される。即ち、１つの受信装置１００が受信した制御信号に基づいて左右の照明ユニット６０Ｌ，６０Ｒがそれぞれ制御される。
【００５８】
以上説明した本実施形態によれば、以下のような効果を奏する。
即ち、本実施形態のミラーキャビネット６は、キャビネット本体１０と、中空部を有し、キャビネット本体１０の内部空間を区画する仕切り板５０と、仕切り板５０によって区画された空間を開閉するミラー扉７と、仕切り板５０の正面側に配置される照明ユニット６０（照明器具）と、を備える。照明ユニット６０は、ＬＥＤ素子６２が配置されるＬＥＤ基板６１（照明基板）を有し、該ＬＥＤ基板６１が仕切り板５０に直接固定される。
【００５９】
これにより、ＬＥＤ基板６１を仕切り板５０に直接固定できる。ベース部等の別部材を介することなくＬＥＤ基板６１を仕切り板５０に固定できるので、ベース部を用いた場合のような継ぎ目が生じず、照明ユニット６０の組立性及びメンテナンス性を向上させることができる。継ぎ目が生じないので照明ユニット６０及び仕切り板５０が一体的である印象を与え、美観も向上する。また、ＬＥＤ基板６１を仕切り板に固定するためのビスを照明カバー７０の外部から見えない位置にすることもでき、ミラー扉７を開けたときに、照明ユニットを取り付けるために仕切り板に締結されたビスが露出して美観が損なわれる事態も防止できる。更に、仕切り板５０の中空部を利用して照明ユニット６０の配線を取り回すことができ、仕切り板５０を配線カバーとして利用することができる。
【００６０】
照明ユニット６０に電力を供給する電源ユニット８０は、仕切り板５０の中空部に配置される。
【００６１】
これにより、仕切り板５０の中空部に電源ユニット８０を配置できるので、照明ユニット６０に電力を供給するための構成をコンパクトにまとめることができる。従来、この種の電源ユニットは、キャビネット本体の収納空間に配置されていたため、収納スペースが狭くなる原因となっていた。この点、本実施形態の構成であれば、収納スペースを減少させることのないＬＥＤ基板６１に電源を供給するための構成を実現できる。
【００６２】
仕切り板５０の中空部内には、電源ユニット８０に接続される配線を固定するための補強リブ４０及び仕切り板５０の内側に固定される結束バンド９５が設けられる。
【００６３】
これにより、電源ユニット８０に接続される配線が仕切り板５０の内側で固定されるので、メンテナンス作業等で意図せず配線が外側に引っ張られ、電源ユニット８０側に張力が掛かる事態を防止できる。
【００６４】
キャビネット本体１０は、仕切り板５０の背面側に配置される背板１１を備え、仕切り板５０は、背板１１の背面側から差し込まれるビス３０によって背板１１に固定される。
【００６５】
これにより、複雑な構成を追加することなく、仕切り板５０を背板１１に対して隙間なく固定することができる。本実施形態のように、仕切り板５０が金属製であり、背板１１が木製であるような接続面が異なる材料で構成されている場合であっても、仕切り板５０を強固にキャビネット本体１０に固定できる。
【００６６】
以上、本発明の好ましい実施形態について説明したが、本発明は、上述の実施形態に制限されるものではなく、適宜変更が可能である。
【００６７】
次に、図１０を参照して上記実施形態の変形例について説明する。図１０は、変形例のキャビネット本体２１０の内部を示す図である。なお、以下の説明において上記実施形態と同様の構成については同じ符号を付してその説明を省略することがある。
【００６８】
変形例のキャビネット本体２１０は、上記実施形態とは電源ユニット８０の配置位置が異なっている。図１０に示すように、変形例では中央底板２１５Ｃに電源ユニット８０が内蔵される。中央底板２１５Ｃは、その内側がくり抜かれた中空部を有する板材である。中央底板２１５Ｃが中空部を有することにより、電源ユニット８０の配置が可能となっている。
【００６９】
中央底板２１５Ｃの下面には、電源ユニット８０を取り付けるための取付孔（図示省略）が形成されており、キャビネット本体２１０の下から電源カバー８１が中央底板２１５Ｃに取り付けられることにより、電源ユニット８０が中央底板２１５Ｃの中空部で保持される。電源ユニット８０に接続される各種の配線は、上記実施形態と同様に、背板１１の背面側及び仕切り板５０の内側を通って照明ユニット６０Ｌ，６０Ｒ、受信装置１００にそれぞれ接続される。
【００７０】
以上説明した変形例によれば以下の効果を奏する。
即ち、変形例のキャビネット本体２１０を構成し、空間と空間を区画する中央底板２１５Ｃが中空部を有し、照明ユニット６０に電力を供給する電源ユニット８０は、中央底板２１５Ｃの中空部に配置される。
【００７１】
この変形例においても、中央底板２１５Ｃに形成された中空部に電源ユニット８０を配置することができるので、照明ユニット６０に電力を供給するための構成をコンパクトにまとめることができる。また、中央底板２１５Ｃの中空部と仕切り板５０の内側の空間を利用して配線を取り回すことができるので、中央底板２１５Ｃ及び仕切り板５０が配線カバーとしても機能する。
【００７２】
上記実施形態及び変形例に限定されず、電源ユニット８０の配置位置は、事情に応じて適宜変更することができる。例えば、中空部を有する天板や中空部を有する横仕切り板に電源ユニットを内蔵する構成としてもよい。また、仕切り板５０Ｌ，５０Ｒのそれぞれに電源ユニットを配置する構成としてもよい。
【００７３】
上記実施形態では、中空部を有する仕切り板５０は、一部材によって構成されているが、この構成に限定されるわけではない。例えば、半割形状の２部材によって中空部を有する構成や、断面形状が略Ｕ字状に形成される部材が背板に取り付けられることにより、中空部を形成する構成とすることもできる。このように、中空部を有する仕切り板の構造は事情に応じて適宜変更することができる。
【００７４】
上記実施形態では、照明ユニット６０の照明カバー７０の左右方向の幅（正面視における幅）や照明カバー７０のミラー扉７よりも正面側に突出する突出量（側面視における奥行方向の幅）が上下方向にわたって略一定の構成を例として説明したが、この構成に限定されない。例えば、上方を明るくしたい場合は、以下のような構成を採用することができる。即ち、照明カバー７０の左右方向の幅が、下部よりも上部が幅広になるように構成する又は突出量が下部よりも上部で大きくなるように構成する又は照明カバー７０の左右方向の幅及び突出量の両方が下部よりも上部で大きくなるように構成することができる。左右方向の幅及び突出量のいずれにおいても、段階的に大きくなる構成としてもよいし、直線状に変化（傾斜）していく構成としてもよい。このように、照明ユニット６０は、一律な形状に限定されず、左右方向の幅や突出量が上下方向で異なる構成等、種々の形状を採用できる。
【００７５】
上記実施形態では、３枚のミラー扉７を備えるミラーキャビネット６を例に説明したが、この構成に限定されない。ミラー扉７が１枚のミラーキャビネットや４枚以上のミラーキャビネット等、種々のミラーキャビネットに本発明を適用できる。
【符号の説明】
【００７６】
６  ミラーキャビネット
７  ミラー扉
１０  キャビネット本体
３０  ビス（締結部材）
５０  仕切り板
６０  照明ユニット（照明器具）
６１  ＬＥＤ基板（照明基板）
６２  ＬＥＤ素子（光源）
８０  電源ユニット
９５  結束バンド
２１０  キャビネット本体
２１５Ｃ  底板（構成材）
【図１】
2017080287.tif 000003
【図２】
2017080287.tif 000004
【図３】
2017080287.tif 000005
【図４】
2017080287.tif 000006
【図５】
2017080287.tif 000007
【図６】
2017080287.tif 000008
【図７】
2017080287.tif 000009
【図８】
2017080287.tif 000010
【図９】
2017080287.tif 000011
【図１０】
2017080287.tif 000012